(57)【要約】【課題】マウスを動かしやすくするとともに、移動方向検知部を埃等から保護する。【解決手段】パーソナルコンピュータ等の情報処理装置のポインティングデバイスとして用いられるマウスＭに、少なくとも入力操作部たるボタンを有する本体１と、光学的手段を用いて移動方向を検知する移動方向検知部３とを具備するとともに、前記移動方向検知部３を取り囲む部分に滑りやすい材料で構成した滑動部２３を設け、この滑動部２３が底面を形成するようにした。【選択図】図６
2004013236.tif 000002
【特許請求の範囲】
【請求項１】
パーソナルコンピュータ等の情報処理装置のポインティングデバイスとして用いられるものであって、少なくとも入力操作部を有する本体と、光学的手段を用いて移動方向を検知する移動方向検知部とを具備するとともに、前記移動方向検知部を取り囲む部分に滑りやすい材料で構成した滑動部を設け、この滑動部が底面を形成していることを特徴とするマウス。
【請求項２】
前記滑動部を、前記移動方向検知部の少なくとも前方及び側方の部分の略全域にわたって設けていることを特徴とする請求項１記載のマウス。
【請求項３】
前記滑動部を、前記移動方向検知部と、このマウスの底面の外周縁との間に馬蹄型ないし全周を取り囲む形状をなすようにして設けていることを特徴とする請求項１記載のマウス。
【請求項４】
手を載せることができる手置き部をさらに具備するとともに、前記手置き部の下面に前記滑動部を設けていることを特徴とする請求項１、２、又は３記載のマウス。
【請求項５】
前記手置き部が、シート状をなすことを特徴とする請求項４記載のマウス。
【請求項６】
前記滑動部を、四フッ化エチレン樹脂を用いて構成していることを特徴とする請求項１、２、３、４、又は５記載のマウス。
【発明の詳細な説明】
【０００１】
【発明の属する技術分野】
本発明は、パーソナルコンピュータ等の情報処理装置のポインティングデバイスとして用いられるマウスに関する。
【０００２】
【従来の技術】
従来、パーソナルコンピュータ等のポインティングデバイスとして用いられるいわゆる光学式マウスは、ＣＭＯＳ素子等を移動方向検知部として用い、光学的手段を用いてマウスの移動方向を検知するようにしている。
【０００３】
【発明が解決しようとする課題】
しかし、このようなマウスを載置して使用する天板は、埃等が付着していない清潔な環境で用いられるとは限られず、長期間使用していると、天板に付着した埃等が移動方向検知部に付着してきて、この埃等により移動方向検知部が取得する画像の質が落ち、マウスが正常に作動しなくなる等の不具合が生じ得る。
【０００４】
本発明は以上に述べた課題を解決すべく、移動方向検知部付近に埃等が付着することを防ぐべく構成したものである。
【０００５】
【課題を解決するための手段】
すなわち本発明に係るマウスは、パーソナルコンピュータ等の情報処理装置のポインティングデバイスとして用いられるものであって、画像処理を用いて移動方向を検知する移動方向検知部を具備するとともに、底面の前記移動方向検知部を取り囲む部分に滑りやすい材料で構成した滑動部を設けていることを特徴とする。
【０００６】
このようなものであれば、滑動部を設けたことによりマウスを滑らせやすくできるとともに、この滑動部から内側に移動方向検知部に向けて埃等が侵入しにくくなり、移動方向検知部を埃等から保護できるようになる。
【０００７】
より効果的に埃等に対して移動方向検知部を防護する効果を得るには、前記滑動部を、前記移動方向検知部の前方及び側方の部分の略全域にわたって設ければよい。
【０００８】
また、前記滑動部を、前記移動方向検知部と底面の外周縁との間に馬蹄型ないし全周を取り囲む形状をなすようにして設けても、より効果的に埃等に対して移動方向検知部を防護する効果を得ることができるようになる。
【０００９】
さらに効果的に移動方向検知部に埃等が入らないようにするには、少なくとも入力操作部を有する本体と、前記移動方向検知部と、本体の下方に位置し、手を載せることができる手置き部とを具備するとともに、前記手置き部の下面に前記滑動部を設けるようにすればよい。このようなものであれば、手置き部に手を置くことにより、手の重みで滑動部が天板の板面に押さえつけられ、より効果的に埃等の侵入を防ぐことができるからである。
【００１０】
このようなマウスの具体的な態様の一例として、前記手置き部がシート状をなすものが考えられる。
【００１１】
さらに、前記滑動部を四フッ化エチレン樹脂を用いて構成しているものもこのようなマウスの具体的な態様として考えられる。
【００１２】
【発明の実施の形態】
以下に本発明の一実施形態について述べる。
【００１３】
本実施形態に係るマウスＭは、斜視図を図１、平面図を図２、側面図を図３、正面図を図４、背面図を図５、底面図を図６に示すように、入力操作部たるボタン１１、１２、及びホイール１３を前部に有する本体１と、本体の下端部から前後左右に広がるシート状をなす手置き部２と、マウスの移動方向を光学的手段を用いて読み取るように構成した移動方向検知部３とを具備する。なお、ここで正面とは、操作者に向かう方向を指す。
【００１４】
より具体的には、図１、図２、及び図３に示すように、楕円形のシート状をなす前記手置き部２の略中心部から前記本体１を起立して設けるとともに、本体１の上部に前方に向かって細くなる形状の突出部１ａを前方に突出させて設けている。また、図１及び図２に示すように、この突出部１ａの前端部の幅方向中央部に前記ホイール１３、このホイール１３を挟んで左右にボタン１１、１２を配置している。そして、図１及び図３に示すように、前記突出部１ａと前記手置き部２との間には指を入れることのできる空間Ｓを形成している。そして、前記ボタン１１、１２は、指を下に押し下げるか、又は指を手前に引いて操作することができるようにしている。
【００１５】
一方、前記手置き部２は、図６、及び、図２の前記手置き部２の一部を縦方向に切断した状態の図である図７に示すように、軟質材料、本実施形態ではウレタンにより構成した軟質層２１と、より剛性の高い材料により構成した芯材層２２とを有する。そして、その上面であり、手を乗せる面である手置き面２ａを軟質層２１により構成するとともに、軟質層２１の下方に芯材層２２を配置している。また、下面の中央部には開口２ｘを設け、前記移動方向検知部３をこの開口２ｘの部分に配置している。
【００１６】
また、本実施形態では、前記手置き部２に手を載せたままマウスを移動させることができるようにしている。
【００１７】
さらに、前記手置き部２には、手首と、親指の外側の部分と、小指の外側の部分とを載せることができるようにしている。
【００１８】
そして、前記手置き部２に手首を載せた状態で、人差し指と中指とをボタン１１、１２に掛けるようにし、この状態のまま手を水平方向に移動させ、つれてマウスＭを移動させるようにしている。
【００１９】
また、移動方向検知部３は、図６に示すように本体１の内部であって前記手置き部２の下面２ｂに設けた開口２ｘの上方の部位に配置した移動方向検知部本体３１と、本体１の内部に設けた図示しない移動方向計算回路とを有し、光学的手段を用いて移動方向を検知する。すなわち、移動方向検知部本体３１をＣＭＯＳイメージセンサを用いて構成し、天板の映像を検知するとともに、前記移動方向計算回路によりマウスの移動方向を計算し、接続先の図示しない情報処理装置にマウスの移動方向を知らせるようにしている。
【００２０】
しかして本実施形態では、図６及び図７に示すように、前記開口２ｘを取り囲むように、この開口２ｘとマウスＭの外周縁との間に、滑りやすい材料、本実施形態では四フッ化エチレン樹脂により構成した滑動部２３を馬蹄形をなすように、芯材層２２のさらに下方に設けている。そして、滑動部２３の底面２３ｂがマウスＭの底面を形成しており、この滑動部２３の底面２３ｂを机の天板等の板面に当てて使用するようにしている。さらに、本実施形態では前記手置き部２が可撓性を有するようにしている。
【００２１】
このように、滑りやすい材料により構成され、底面２３ｂがマウスＭの底面を形成する滑動部２３を、前記開口２ｘを馬蹄型に取り囲むように設けることにより、このマウスＭを動かしやすくするとともに、滑動部２３から移動方向検知部３に向けて埃等が侵入しにくくなるので、移動方向検知部３を埃等から保護することができる。
【００２２】
また、前記手置き部２が可撓性を有するので、一部を浮かせた状態でも安定して使用できる。
【００２３】
特に、前記滑動部２３を前記開口２ｘの前方及び側方の部分の略全域に設けているので、マウスＭの底面の略全域が外部に対して移動方向検知部３に蓋をする役割を果たし、効果的に埃等に対して移動方向検知部３を防護する効果を得ることができる。
【００２４】
そして、シート状をなす手置き部２を本体１の下方に設けるとともに、この手置き部２の下面に前記滑動部２３を設けているので、手置き部に手を置くことにより、手の重みで滑動部が天板の板面に押さえつけられ、より効果的に埃等の侵入を防ぐことができ、さらに効果的に埃等に対して移動方向検知部３を防護する効果を得ることができる。
【００２５】
なお、本発明は上述した実施の形態に限られない。
【００２６】
例えば、手置き部はシート状のものでなくてもよく、板状のものにより手置き部を構成してもよいし、マウスに手を置くことのできるくぼみを設けて、このくぼみの内側を本体、くぼみの部分を手置き部として構成するような態様も考えられる。さらに、手置き部が可撓性を有さないものであってもよい。これらの構成においても、手置き部の下面に滑動部を設定してあれば、移動方向検知部に埃等が入らないようにできる。
【００２７】
また、手置き部を設けていないものであっても、マウスの底面に滑動部を設定してあれば、移動方向検知部に埃等が入らないようにできる効果は確保できる。
【００２８】
さらに、滑動部の形状は、馬蹄型でなく移動方向検知部の全周を取り囲むようなものであっても、また、移動方向検知部を除く略全域に設けたものであっても、移動方向検知部を埃等から保護できる。さらに、この滑動部を移動方向検知部を除く略全域に設けたものであれば、どの使用状態でも滑らかにマウスを移動させることができる。
【００２９】
一方、滑動部は、移動方向検知部を取り囲むように配置してあれば、滑動部をマウスの底面の略全域に配置しなくても、移動方向検知部に埃等が入らないようにできる効果をある程度得ることができる。
【００３０】
加えて、マウスの本体や入力操作部は上述した実施形態のような形状でなく、通常の側面視半円状をなすような形状のもの等、他の形状でもよい。
【００３１】
そして、滑動部を四フッ化エチレン樹脂以外の材料を用いて構成する等、その他の部分も本発明の意義を損ねない範囲でさまざまに変更してよい。
【００３２】
【発明の効果】
本発明は、移動方向検知部を取り囲む部分に滑りやすい材料で構成した滑動部を設け、この滑動部が底面を形成するようにしているので、マウスを動かしやすくするとともに、埃が滑動部より内側に移動方向検知部に向けて侵入しにくくなり、移動方向検知部を埃等から保護できる。
【図面の簡単な説明】
【図１】本発明の一実施形態に係るマウスの斜視図。
【図２】同実施形態に係るマウスの平面図。
【図３】同実施形態に係るマウスの側面図。
【図４】同実施形態に係るマウスの正面図。
【図５】同実施形態に係るマウスの背面図。
【図６】同実施形態に係るマウスの底面図。
【図７】図４の手置き部を本体の手前の部分で縦方向に切断した状態を示す図。
【符号の説明】
Ｍ…マウス
１…本体
１１、１２…ボタン（入力操作部）
２…手置き部
２３…滑動部
２３ｂ…滑動部の下面
３…移動方向検知部
【図１】
2004013236.tif 000003
【図２】
2004013236.tif 000004
【図３】
2004013236.tif 000005
【図４】
2004013236.tif 000006
【図５】
2004013236.tif 000007
【図６】
2004013236.tif 000008
【図７】
2004013236.tif 000009